(57)【要約】【課題】何等の工具を用いずに組立・分解を行うことができる電話機を得るにある。【解決手段】電話機本体の上面に樹脂成形される矩形の飾り枠を固定する電話機において、この飾り枠の下面から突起した状態で左右側辺に一体成形された複数対のＬ字状突起と、これらのＬ字状突起の頭部を挿入できるように電話機本体の上面対応部に形成されかつ電話機本体に対して飾り枠を前後方向に摺動させることにより対応Ｌ字状突起の抜け出しを阻止できる複数対の係止孔と、前記飾り枠の内方に向かって前側辺に一体成形された少なくともひとつの挿入片と、同挿入片を挿入できるように電話機本体の前面に形成される挿入孔と、前記電話機本体の上面及び前記飾り枠との間に形成されて前記電話機本体と飾り枠との関係を固定する係止爪及び係止溝とを備える電話機。【選択図】図２
2006174347.tif 000002
【特許請求の範囲】
【請求項１】
電話機本体の上面に樹脂成形される矩形の飾り枠を固定する電話機において、この飾り枠の下面から突起した状態で左右側辺に一体成形された複数対のＬ字状突起と、これらのＬ字状突起の頭部を挿入できるように電話機本体の上面対応部に形成されかつ電話機本体に対して飾り枠を前後方向に摺動させることにより対応Ｌ字状突起の抜け出しを阻止できる複数対の係止孔と、前記飾り枠の内方に向かって前側辺に一体成形された少なくともひとつの挿入片と、同挿入片を挿入できるように電話機本体の前面に形成される挿入孔と、前記電話機本体の上面及び前記飾り枠との間に形成されて前記電話機本体と飾り枠との関係を固定する係止爪及び係止溝とを備えることを特徴とする電話機。
【請求項２】
前記電話機本体の後側上面には通話状態や電話番号などを表示できる表示器がヒンジで起倒可能に支持され、前記飾り枠の前側辺には前記ヒンジを覆う半円弧状断面のヒンジ部カバーが一体成形されることを特徴とする請求項１記載の電話機。
【請求項３】
前記係止爪は前記飾り枠の前側辺下面に一体成形される略直角三角形断面の突起した爪部材であり、前記係止溝は同爪部材を受け入れるコ字断面溝であることを特徴とする請求項１または請求項２記載の電話機。
【発明の詳細な説明】
【技術分野】
【０００１】
本発明は電話機に関し、特に後側に設ける起倒可能な表示器及び上面周囲に設ける飾り枠とをもつ電話機に関する。
【背景技術】
【０００２】
周知のように、卓上電話機などの設計に際しては、卓上電話機上面に配列される機能キーなどの変更などに容易に対応できるように、電話機本体と表面パネルとを別体構成とし、これらの間に係止片や係止孔を形成して、機能キーや局線数の変更に対応している。
【０００３】
また、最近では、通話先電話番号や通話者の相手画像などを表示できる液晶表示器を卓上電話機の後側に起倒可能に設ける場合があるが、従来の場合、液晶表示器のヒンジを電話機本体に固定ねじなどの固定手段で固定するのが普通である。
【特許文献１】実願昭６０−４７４４９号明細書
【発明の開示】
【発明が解決しようとする課題】
【０００４】
しかしながら、前述した従来の電話機の構造では、固定ねじなどの固定手段を用いるため、特別の工具を用いなければならず、デザイン上の外観変更に容易に応じられない問題があった。
本発明の目的は、以上に述べたような従来の電話機の問題に鑑み、何等の工具を用いずに組立・分解を行うことができる電話機を得るにある。
【課題を解決するための手段】
【０００５】
この目的を達成するため、本発明は、電話機本体の上面に樹脂成形される矩形の飾り枠を固定する電話機において、この飾り枠の下面から突起した状態で左右側辺に一体成形された複数対のＬ字状突起と、これらのＬ字状突起の頭部を挿入できるように電話機本体の上面対応部に形成されかつ電話機本体に対して飾り枠を前後方向に摺動させることにより対応Ｌ字状突起の抜け出しを阻止できる複数対の係止孔と、前記飾り枠の内方に向かって前側辺に一体成形された少なくともひとつの挿入片と、同挿入片を挿入できるように電話機本体の前面に形成される挿入孔と、前記電話機本体の上面及び前記飾り枠との間に形成されて前記電話機本体と飾り枠との関係を固定する係止爪及び係止溝とを備える電話機を提案するものである。
【発明の効果】
【０００６】
本発明のこのような構成によれば、複数のＬ字状突起を対応係止孔に挿入し、電話機本体に対して飾り枠を前後方向後方に移動させるだけで、電話機本体に飾り枠を固定できる。
また、電話機本体から飾り枠を外すには、前述した組立工程とは逆に、電話機本体に対して飾り枠を前方に押せば、挿入片が挿入孔から自然に抜け出すため、係止爪と係止溝との関係を外すだけで、電話機本体から飾り枠を完全に分解できる。
【発明を実施するための最良の形態】
【０００７】
後述する本発明の好ましい実施例の説明においては、
１）  前記電話機本体の後側上面には通話状態や電話番号などを表示できる表示器がヒンジで起倒可能に支持され、前記飾り枠の前側辺には前記ヒンジを覆う半円弧状断面のヒンジ部カバーが一体成形される電話機、
２）  前記係止爪は前記飾り枠の前側辺下面に一体成形される略直角三角形断面の突起した爪部材であり、前記係止溝は同爪部材を受け入れるコ字断面溝である構造
が説明される。
【実施例１】
【０００８】
以下、図面について本発明の実施例の詳細を説明する。
図１は本発明による電話機全体を、図２は分解した状態の同電話機の電話機本体１０と飾り枠２０との関係を示している。
【０００９】
図３から図６の拡大図から理解されるように、ＡＢＳ樹脂などで射出成形される電話機本体１０は、矩形容器状に成形された下部ケース１１と、この下部ケース１１の上面を覆う上部ケース１５とからなり、これらの下部ケース１１と上部ケース１５の内部空間中には各種機能素子類を搭載したプリント配線基板（図示せず）が収納されると共に、上部ケース１５の表面にはダイヤルキー１６、局線キー１７、各種機能キー１８が配置される。
【００１０】
また、上部ケース１５の後部には、相手先電話番号、記憶された電話番号などを表示する液晶等の表示器３０がヒンジ４０を介して起倒可能に取り付けてあり、機能キー１８の一部であるメニューキーで選択された画像や文字が表示器３０に表示される。
【００１１】
前記上部ケース１５の外周囲には矩形枠状に合成樹脂材料で射出成形された飾り枠２０が固定される。前記上部ケース１５の外周面及び上面周囲を覆うように倒立した“Ｌ”字状断面に作られる飾り枠２０の左右側辺２０Ｌ，２０Ｒの底面には、図７に示すように、対応左右側辺２０Ｌ，２０Ｒの長さ方向に隣り合った３対のＬ字状突起２１，２２が突出成形される。
そして、前記上部ケース１５の上面左右には、これらの対応Ｌ字状突起２１，２２の頭部を受け入れる３対の係止孔５１，５２が形成され、これらの係止孔５１，５２に対応Ｌ字状突起２１，２２を係止できる。
【００１２】
前記飾り枠２０の後側辺２０Ｂには前記ヒンジ４０の取付部を覆うように“Ｃ”字状断面形状に成形されたヒンジ部カバー２０ａが一体され、電話機本体１０に対して飾り枠２０が完全に固定状態におかれたとき、同ヒンジ部カバー２０ａは、図１に示すように、表示器３０のヒンジ４０を完全に覆った状態となる。
【００１３】
したがって、図４に拡大して示すように、上部ケース１５に対して飾り枠２０を組み付けるには、２点鎖線で示すように、上部ケース１５の上方に飾り枠２０を対向状態におき、同飾り枠２０を上部ケース１５の上面に当てがい、同図１点鎖線示のようにＬ字状突起２１，２２の頭部を対応係止孔５１，５２の内部に挿入すればよい。
この後、電話機本体１０の後側向きに、上部ケース１５の上面に沿って飾り枠２０をスライドさせれば、図４に実線で示すように、係止孔５１，５２の内部にＬ字状突起２１，２２の頭部が係合して上部ケース１５から飾り枠２０が外れなくなる。
【００１４】
一方、前述した飾り枠２０の前側辺２０Ｆには左右に離間された１対の挿入片６１が飾り枠２０の内方に向かって一体成形され、上部ケース１５の前面にはこれらの挿入片６１を挿入される挿入孔６２が形成され、対応挿入孔６２に対する挿入片６１の係合により、組立状態での上部ケース１５からの前側辺２０Ｆの浮き上りが防止される。
【００１５】
図８から理解されるように、飾り枠２０の前側辺２０Ｆの長さ方向中央には小さな係止爪７１が一体成形され、図５に示すように、この係止爪７１は上部ケース１５の前縁部上面に形成する係止溝７２に落ち込むことができる。
図示実施例の場合、前記係止爪７１は直角三角形の断面形状に作られるから、電話機本体１０に対する飾り枠２０の組立の場合、上部ケース１５の上面に沿った飾り枠２０のスライドの際、挿入孔６２に対する挿入片６１の挿入に伴って、係止爪７１の先端が上部ケース１５の表面に沿って摺動し、係止溝７２に対する同係止爪７１の落ち込みにより、飾り枠２０は上部ケース１５から外れなくなる。
【００１６】
図示実施例による電話機は、以上のような構造であるから、図２に示すように、表示器３０を組み付けた状態の電話機本体１０の上方に飾り枠２０を対向状態において、飾り枠２０のＬ字状突起２１，２２を上部ケース１５の係止孔５１，５２に挿入することで組立てることができる。
即ち、図４の２点鎖線示の状態からＬ字状突起２１，２２を係止孔５１，５２の内部に挿入し、これらのＬ字状突起２１，２２を実線示の位置に移動させることにより、飾り枠２０の左右側辺２０Ｌ，２０Ｒが上部ケース１５に固定され、上部ケース１５から外れなくなる。
【００１７】
電話機本体１０に対する飾り枠２０の同後方への移動に伴い、飾り枠２０のヒンジ部カバー２０ａも上部ケース１５の後方へ移動するから、ヒンジ部カバー２０ａにより表示器３０のヒンジ４０が完全に覆われ、特別にヒンジ４０の目隠し部材を施す必要はなくなる。
これと同時に、飾り枠２０の前側辺２０Ｆの挿入片６１が挿入孔６２に自然に挿入されるので、飾り枠２０の前側辺２０Ｆも上部ケース１５の前部に固定されるけれども、上部ケース１５の係止溝７２に対する係止爪７１の落ち込みにより、係止溝７２からの係止爪７１の抜け出しや区からのＬ字状突起２１，２２の脱落が阻止され、その結果、電話機本体１０に飾り枠２０が完全に組み立てられる。
【００１８】
修理やメンテナンスの際に飾り枠２０を電話機本体１０から外すには、ヒンジ部カバー２０ａなどに指先を当てがって、飾り枠２０を図２の手前向きに押せばよい。
つまり、この手前方向の力により飾り枠２０の前側辺２０Ｆが変形し、図５の２点鎖線示のように前側辺２０Ｆが移動し、同前側辺２０Ｆの挿入片６１が挿入孔６２から抜け出すと同時に、Ｌ字状突起２１，２２も係止孔５１，５２の内部で移動して対応係止孔５１，５２から抜け出せる状態となる。
【００１９】
したがって、図５の下側から飾り枠２０の前側辺２０Ｆに力を加えると、係止爪７１が係止溝７２から外れ、１点鎖線示の状態に飾り枠２０を外すことができる。
【産業上の利用可能性】
【００２０】
前述した本発明の実施例の説明においては、電話機本体１０に表示器３０をヒンジ４０でヒンジ接手した構造を説明したが、本発明は必ずしも表示器３０を用いる電話機でなくともよい。
また、前記実施例においては、直角三角形断面の係止爪７１と係止溝７２を例示したけれども、本発明においては、半球状係止爪及び半球面係止溝で実施することもできる。
【図面の簡単な説明】
【００２１】
【図１】本発明による電話機の全体斜視図である。
【図２】飾り枠を外して示した同電話機の分解斜視図である。
【図３】図２の３−３線に沿う要部拡大断面図である。
【図４】図３の４−４線に沿う要部拡大断面図である。
【図５】図２の５−５線に沿う要部拡大断面図である。
【図６】図２の６−６線に沿う要部拡大断面図である。
【図７】裏返して示した前記飾り枠の斜視図である。
【図８】角度を変えて示した同飾り枠の斜視図である。
【符号の説明】
【００２２】
１０        電話機本体
１５        上部ケース
２０        飾り枠
２０ａ      ヒンジ部カバー
２０Ｂ      後側辺
２０Ｆ      前側辺
２０Ｌ，２０Ｒ  左右側辺
２１，２２  Ｌ字状突起
３０        表示器
４０        ヒンジ
５１，５２  係止孔
６１        挿入片
６２        挿入孔
７１        係止爪
７２        係止溝
【図１】
2006174347.tif 000003
【図２】
2006174347.tif 000004
【図３】
2006174347.tif 000005
【図４】
2006174347.tif 000006
【図５】
2006174347.tif 000007
【図６】
2006174347.tif 000008
【図７】
2006174347.tif 000009
【図８】
2006174347.tif 000010